(57)【要約】【課題】高さ寸法の異なる各種容器を安定的に保持し、かつ省スペース化を図り得ると共に、清掃も容易な容器ホルダを提供する。【解決手段】容器ホルダ１２は、ホルダ本体１６に対して上下移動可能に支持された受け部材１８および保持枠２０と、受け部材１８および保持枠２０を相互に上下反対方向に移動して任意位置で位置決めする位置調節手段２２とから構成される。ホルダ本体１６の貫通孔１６ａの内周部に、その中心を挟んで対向する位置にピニオン２８が夫々回転自在に軸支される。受け部材１８の各ピニオン２８と対応する位置に、ピニオン２８の内側に噛合する第１ラック３２が配設される。保持枠２０の各ピニオン２８と対応する位置に、ピニオン２８の外側に噛合する第２ラック３４が配設される。そして、ピニオン２８の正逆回転に伴い、受け部材１８および保持枠２０は相互に上下反対方向に移動する。【選択図】図１
2005145384.tif 000002
【特許請求の範囲】
【請求項１】
車両内装部材(10)に配設され、容器(30)を保持する容器ホルダであって、
前記容器(30)が載置され、ホルダ本体(16)に上下移動自在に支持された受け部材(18,44)と、
前記ホルダ本体(16)に上下移動自在に支持され、前記受け部材(18,44)の上方に臨む容器(30)の胴部(30a)を保持する保持枠(20,46)と、
前記受け部材(18,44)および保持枠(20,46)を、相互に上下反対方向に移動する位置調節手段(22)とから構成した
ことを特徴とする容器ホルダ。
【請求項２】
前記位置調節手段(22)は、前記受け部材(18,44)および保持枠(20,46)を任意位置で位置決めするよう構成される請求項１記載の容器ホルダ。
【請求項３】
前記位置調節手段(22)は、ホルダ本体(16)に回動自在に配設されたピニオン(28)と、前記受け部材(18,44)に配設されて上下方向に延在し、ピニオン(28)と噛合する第１ラック(32)と、前記保持枠(20,46)に配設されて上下方向に延在し、ピニオン(28)に対して第１ラック(32)とは回転中心を挟んで反対側で噛合する第２ラック(34)とからなる請求項１または２記載の容器ホルダ。
【発明の詳細な説明】
【技術分野】
【０００１】
本発明は、容器ホルダに関し、更に詳細には、自動車等の車両における車両内装部材に配設されて、容器を保持する容器ホルダに関するものである。
【背景技術】
【０００２】
乗用車等の車両の室内に配設される車両内装部材の所要位置に装備され、飲料缶、ペットボトル、紙コップ等の容器を保持する容器ホルダは、車両内装部材の上面から下側に凹設されて容器の下部を収容する収容凹部を有している。ここで、容器ホルダに保持される容器には、高さ寸法の異なる様々な種類があり、収容凹部の深さが固定されているものでは、その設定された深さ寸法によっては、背の高い容器を収容した際に保持される部分が短かく、不安定となったり、あるいは背の低い容器を収容した際に、収容凹部上方への容器の突出寸法が短かく、取り出し難くなる問題がある。
【０００３】
そこで、収容凹部の内部に、容器が載置される載置台を上下移動自在に配設し、容器の高さ寸法に応じて載置台を移動調節することで、各種寸法の容器を安定的に保持し得る深さを確保し、かつ取り出しも容易に行ない得るようにしたものが提案されている(例えば、特許文献１参照)。
【特許文献１】特開２００３−１６５３７０号公報
【発明の開示】
【発明が解決しようとする課題】
【０００４】
しかし、前記載置台を上下移動する構造においても、収容凹部自体の深さに関しては、容器ホルダで保持し得る最大高さ寸法の容器に対応する位置まで載置台が移動し得る寸法を確保する必要があるため、容器ホルダが配設される車両内装部材の下部側における省スペース化を図ることは困難であった。また、収容凹部が深くなれば、内部の清掃が煩雑となり、不衛生となり易くなる難点も指摘される。
【０００５】
すなわち本発明は、高さ寸法の異なる各種容器を安定的に保持可能で、かつ省スペース化を図り得ると共に、清掃も容易な容器ホルダを提供することを目的とする。
【課題を解決するための手段】
【０００６】
前記課題を克服し、所期の目的を好適に達成するため本発明は、
車両内装部材に配設され、容器を保持する容器ホルダであって、
前記容器が載置され、ホルダ本体に上下移動自在に支持された受け部材と、
前記ホルダ本体に上下移動自在に支持され、前記受け部材の上方に臨む容器の胴部を保持する保持枠と、
前記受け部材および保持枠を、相互に上下反対方向に移動する位置調節手段とから構成したことを特徴とする。
【発明の効果】
【０００７】
本発明に係る容器ホルダによれば、容器が載置される受け部材と、容器胴部を保持する保持枠とを容器の高さ寸法に合わせて移動し得るよう構成したから、各種高さ寸法の容器を常に安定的に保持し得ると共に、取り出し易い状態で保持することができる。また、受け部材と保持枠とを上下反対方向に移動することで、容器を安定保持し得る深さを確保し得るから、受け部材の下方への移動範囲を短かくすることができ、車両内装部材の下部側の省スペース化を図り得る。更に、受け部材と保持枠とを近づけることで、容器ホルダの深さ寸法を浅くし得るから、内部の清掃が容易で衛生的に保つことができる。
【発明を実施するための最良の形態】
【０００８】
次に、本発明に係る容器ホルダにつき、好適な実施例を挙げて、添付図面を参照しながら以下説明する。
【実施例１】
【０００９】
図１および図２は、車両内装部材としてのフロントコンソール１０に実施例１に係る容器ホルダ１２を配設した状態を示す断面図であって、容器ホルダ１２は、フロントコンソール１０の上面パネル１４に配設されたホルダ本体１６と、該ホルダ本体１６に対して上下移動可能に支持された受け部材１８および保持枠２０と、受け部材１８および保持枠２０を相互に上下反対方向に移動して任意位置で位置決めする位置調節手段２２とから基本的に構成される。上面パネル１４の下部に配設されたホルダ本体１６には、図３に示す如く、上下方向に貫通する所要径の貫通孔１６ａが穿設され、該貫通孔１６ａの内周部には、その中心を挟んで対向する位置に、周方向に離間する一対の支持片２４,２４が夫々配設されると共に、対をなす支持片２４,２４間に軸２６を介してピニオン２８が回転自在に軸支されている。また貫通孔１６ａの内周部には、ピニオン２８,２８の配設位置から周方向に離間して中心を挟んで対向する位置に、上下方向に延在する溝１６ｂが夫々形成されている。
【００１０】
前記受け部材１８は、上方に開放する有底円筒状を呈し、その内径は各種径寸法の容器３０を上方から収容し得る寸法に設定されて、容器３０の下部が収容載置される。また受け部材１８の外径は、前記支持片２４,２４と干渉することなく貫通孔１６ａ内を上下移動可能な寸法に設定されると共に、前記各溝１６ｂと対応する外周面には夫々突条１８ａが上下方向に延在するよう突設され、一対の突条１８ａ,１８ａが溝１６ｂ,１６ｂに摺動自在に嵌合されることで、当該受け部材１８がホルダ本体１６に対して回動を規制された状態で上下移動自在に支持されている。更に、受け部材１８の外周面における各ピニオン２８と対応する位置に、上下方向に所定長さで延在する第１ラック３２が夫々配設され、該第１ラック３２が対応するピニオン２８に内側から噛合している。
【００１１】
前記保持枠２０は、図３に示す如く、受け部材１８より大径に寸法設定された環状部２０ａを備えると共に、該環状部２０ａにおける前記ホルダ本体１６に設けた各ピニオン２８と対応する位置に、両支持片２４,２４の間を通過可能な延出部２０ｂが夫々垂設されており、両延出部２０ｂ,２０ｂを対応する支持片２４,２４の間に上方から摺動自在に挿通することで、当該保持枠２０がホルダ本体１６に対して回動を規制された状態で上下移動自在に支持される。そして、前記受け部材１８の上方に臨む環状部２０ａで、該受け部材１８から上方に延出する容器３０の胴部３０ａを外側から保持するべく機能する(図２参照)。なお、上面パネル１４には、ホルダ本体１６の貫通孔１６ａと対応して略同一内径の通孔１４ａが形成されており、保持枠２０は該通孔１４ａを介して上面パネル１４の上方に延出可能に構成される。また、環状部２０ａにおける各延出部２０ｂの内側面に、前記ピニオン２８に外側から噛合する第２ラック３４が夫々設けられている。すなわち、受け部材１８の各第１ラック３２と保持枠２０の各第２ラック３４とは、対応するピニオン２８の回転中心を挟んで相互に反対側で噛合しており、該ピニオン２８の正逆回転に伴い、受け部材１８および保持枠２０は相互に上下反対方向に移動するよう構成される。実施例１では、ピニオン２８,２８、第１ラック３２,３２および第２ラック３４,３４から位置調節手段２２が構成されている。
【００１２】
なお、ピニオン２８と両ラック３２,３４の噛合状態において、前記軸２６に対してピニオン２８は、容器ホルダ１２で保持される容器３０の重みのみでは回動することはなく、受け部材１８を位置決め保持し得、かつ使用者が容器３０で受け部材１８を強制的に押し下げたり、保持枠２０を使用者が手指により強制的に押し下げるべく所定以上の負荷を加えた場合には回転して、受け部材１８および保持枠２０が相互に反対方向に移動するのを許容し得るように構成されている。すなわち、位置調節手段２２により受け部材１８および保持枠２０を、任意位置で位置決めし得るようにしてある。また、受け部材１８の最上昇位置は、該受け部材１８の上端が保持枠２０の環状部２０ａに当接することで規定され、受け部材１８の最下降位置は、該受け部材１８に設けられた図示しないストッパがホルダ本体１６の上面に当接することで規定され、何れの場合にもピニオン２８からラック３２,３４が離間しないよう設定される。なお、前記軸２６に対してピニオン２８を自由回転自在に配設したもとで、前記受け部材１８の突条１８ａ,１８ａとホルダ本体１６の溝１６ｂ,１６ａとの嵌合状態を、受け部材１８に載置された容器３０の重みのみでは該受け部材１８が下方に移動することはなく、かつ使用者が容器３０で受け部材１８を強制的に押し下げたり、保持枠２０を使用者が手指により強制的に押し下げるべく所定以上の負荷を加えた場合には受け部材１８が移動するのを許容し得るように設定することでも、受け部材１８および保持枠２０を任意位置で位置決めすることはできる。
【００１３】
容器ホルダ１２は、図１に示す如く、受け部材１８と保持枠２０の環状部２０ａとを最も近接した状態(初期状態)で、各ピニオン２８が両ラック３２,３４の上下方向の略中間部に噛合するよう設定される。この状態で、容器３０を受け部材１８に載置して押し下げることで、第１ラック３２,３２を介してピニオン２８,２８が回転し、該ピニオン２８,２８に第２ラック３４,３４が噛合する保持枠２０が上方に移動する。すなわち、図２に示す如く、受け部材１８が下方に移動するのに伴い保持枠２０が上方に移動し、これにより環状部２０ａから受け部材１８の内底面までの高さ(容器ホルダ１２の深さ)は大きくなり、容器３０を安定的に保持することができる。
【００１４】
従って、使用者は、容器３０の高さ寸法に応じて受け部材１８を押し下げる位置を変えるだけで、容器ホルダ１２の深さを容器３０を確実に保持し得る状態に変化することができ、かつ容器ホルダ１２(保持枠２０)から容器３０が上方に突出する量を取り出し易い長さに設定し得る。しかも、受け部材１８と保持枠２０とを相互に上下反対方向に移動調節するから、受け部材１８の下方への移動量を小さくしても、容器ホルダ全体の深さ寸法を大きくすることができ、背の高い容器３０を安定的に保持することができる。すなわち、容器ホルダ１２が配設されるフロントコンソール１０の下部側に大きなスペースを確保する必要はなく、省スペース化を図り得る。また、保持枠２０を押し下げて図１に示す初期状態に戻せば、容器ホルダ１２の深さは浅くなるから、内部の清掃は容易で、常に衛生的に保つことができる。
【実施例２】
【００１５】
図４は、実施例２に係る容器ホルダ３６を示すものであって、その基本的な構成は実施例１と同じであるので、異なる部分についてのみ説明する。なお、既出の同一部材には同じ符号を付して、詳細説明は省略する。すなわち、実施例２においては、ホルダ本体１６の貫通孔１６ａには１個のピニオン２８が配設され、該ピニオン２８に噛合する第１ラック３２および第２ラック３４が対応する受け部材１８および保持枠２０に配設される。受け部材１８における第１ラック３２の配設位置を挟んで反対側の外周面に、上下方向に延在する一対のガイド３８,３８が周方向に離間して平行に配設され、このガイド３８,３８間を摺動可能な案内部材４０が、前記保持枠２０の環状部２０ａに垂設されている。なお、実施例２では、ピニオン２８、第１ラック３２および第２ラック３４から位置調節手段２２が構成される。
【００１６】
すなわち、実施例２においても、受け部材１８と保持枠２０とは、ピニオン２８と両ラック３２,３４の噛合関係により相互に上下反対方向に移動調節され、実施例１と同様の作用効果を奏する。また受け部材１８と保持枠２０の移動に際しては、ガイド３８,３８間を案内部材４０が案内されつつ移動することで、受け部材１８および保持枠２０は安定して上下移動する。
【実施例３】
【００１７】
図５は、実施例３に係る容器ホルダ４２を示すものであって、その基本的な構成は実施例１と同じであるので、異なる部分についてのみ説明する。なお、既出の同一部材には同じ符号を付して、詳細説明は省略する。この実施例３においては、受け部材４４と保持枠４６との関係を、実施例１とは内外逆としたものである。すなわち、受け部材４４は、上方に開放する有底円筒状の底部材４４ａを備えると共に、該底部材４４ａにおけるホルダ本体１６に設けた各ピニオン２８と対応する位置に、両支持片２４,２４の間を通過可能な延出部４４ｂが夫々上方に向けて所定長さで延設されており、両延出部４４ｂ,４４ｂを対応する支持片２４,２４の間に下方から摺動自在に挿通することで、当該受け部材４４がホルダ本体１６に対して回動を規制された状態で上下移動自在に支持される。そして、各延出部４４ｂの内側面に夫々設けられた第１ラック３２が、対応するピニオン２８に外側から夫々噛合するよう構成されている。
【００１８】
これに対して保持枠４６は、上下方向に貫通する円筒状を呈し、その内径は各種径寸法の容器３０を上方から挿通し得る寸法に設定されると共に、その外径は、支持片２４,２４と干渉することなく貫通孔１６ａ内を上下移動可能な寸法に設定されている。また保持枠４６の外周面には、前記ホルダ本体１６における各溝１６ｂと対応する位置に夫々突条４６ａが上下方向に延在するよう突設され、一対の突条４６ａ,４６ａが溝１６ｂ,１６ｂに摺動自在に嵌合されることで、当該保持枠４６がホルダ本体１６に対して回動を規制された状態で上下移動自在に支持されるようになっている。そして、保持枠４６の外周面における各ピニオン２８と対応する位置に夫々設けられて上下方向に所定長さで延在する第２ラック３４が、対応するピニオン２８に内側から夫々噛合するよう構成してある。
【００１９】
すなわち、実施例３の容器ホルダ４２においても、受け部材４４と保持枠４６との位置関係が実施例１と異なるのみで、その構成により奏される作用効果は前述した通りである。なお、実施例３の構成において、実施例２のようにホルダ本体１６に１個のピニオン２８を配設する構成に対応するよう、受け部材４４に案内部材を設けると共に保持枠４６にガイドを設けるようにすることもできる。
【００２０】
〔変更例〕
実施例１〜３では、容器ホルダが配設される車両内装部材としてフロントコンソールを挙げて説明したが、これに限定されるものではなく、インストルメントパネルやドアパネル等、その他の内装部材であってもよい。また位置調節手段におけるピニオンやラックの配設数および配置位置は、各実施例に限定されるものでなく、夫々３つ以上配設するようにしてもよい。更に、受け部材の形状に関しては、容器を載置可能であればよく、板体の周縁にラックを立設する構成を採用し得る。同様に、保持枠の形状に関しても、受け部材の上方に臨む容器胴部を外側から保持し得るものであればよく、環状部が一部切欠かれているものや、筒状でその外周面に第２ラックが設けられているものであってもよい。
【００２１】
また、位置調節手段により受け部材および保持枠を任意位置で位置決めする手段として、図６に示す構成を採用し得る。すなわち、実施例１の構成を基本として述べれば、保持枠２０における延出部２０ｂの外側面に、上下方向に所定間隔で複数の凹部４８を形成する。またホルダ本体１６の対応する位置に、内周面で開放する穴５０を形成すると共に、該穴５０内に、バネ等の弾性手段５２により常には穴５０から内周面側に突出する方向に付勢されるボール５４を配設する。この構成によれば、ボール５４が凹部４８に嵌合することで、保持枠２０の上下移動が規制され、これによって受け部材１８の上下移動も規制されることで、受け部材１８および保持枠２０は、各凹部４８の位置毎に位置決めされる。なお、この構成においても、容器ホルダ１２で保持される容器３０の重みのみでは、凹部４８とボール５４との嵌合状態は解除されないが、使用者が容器３０で受け部材１８を強制的に押し下げたり、保持枠２０を使用者が手指により強制的に押し下げるべく所定以上の負荷を加えた場合には、ボール５４が弾性手段５２の付勢力に抗して穴５０内に没入して凹部４８との嵌合状態が解除され、受け部材１８および保持枠２０が相互に反対方向に移動するのを許容し得るよう設定される。すなわち、図６に示す構成においては、ピニオン２８,２８、第１ラック３２,３２、第２ラック３４,３４、凹部４８、弾性手段５２およびボール５４から位置調節手段２２が構成される。また図６に示す構成は、実施例２や実施例３の構成のものにも採用可能である。
【００２２】
位置調節手段としては、ピニオンとラックを用いた構成に限られるものでなく、受け部材と保持枠とを相互に上下反対方向に移動調節し得るものであれば、その他の構成を適宜に採用し得る。例えば、上下に離間するスプロケットやプーリ等の一対の回転体間に無端チェンやベルト等の索体を回転自在に巻掛け、該索体における一方の上下走行部に受け部材を連結し、他方の上下走行部に保持枠を連結する構成を採用し得る。
【図面の簡単な説明】
【００２３】
【図１】実施例１に係る容器ホルダを初期状態で示す断面図である。
【図２】実施例１に係る容器ホルダに容器を保持した状態で示す断面図である。
【図３】実施例１に係る容器ホルダの分解斜視図である。
【図４】実施例２に係る容器ホルダの分解斜視図である。
【図５】実施例３に係る容器ホルダの分解斜視図である。
【図６】位置調節手段における受け部材および保持枠を任意位置で位置決めする手段の変更例を示す要部断面図である。
【符号の説明】
【００２４】
１０ フロントコンソール(車両内装部材)，１６ ホルダ本体，１８ 受け部材
２０ 保持枠，２２ 位置調節手段，２８ ピニオン，３０ 容器，３０ａ 胴部
３２ 第１ラック，３４ 第２ラック，４４ 受け部材，４６ 保持枠
【図１】
2005145384.tif 000003
【図２】
2005145384.tif 000004
【図３】
2005145384.tif 000005
【図４】
2005145384.tif 000006
【図５】
2005145384.tif 000007
【図６】
2005145384.tif 000008